(57)【特許請求の範囲】
【請求項１】
丸棒からなるセパレータの両端に転造加工で形成される型枠保持用の端部転造雄ねじ部と、丸棒の中央部に転造加工により形成されるねじ山に切れ目を有する中央転造雄ねじ部と、を備えることを特徴とする止水セパレータ。
【請求項２】
端部転造雄ねじ部と中央転造雄ねじ部の外径を丸棒の外径より大きくすることを特徴とする請求項１に記載の止水セパレータ。
【請求項３】
丸棒を鋼材で形成することを特徴とする請求項１又は２に記載の止水セパレータ。
【発明の詳細な説明】
【技術分野】
【０００１】
本発明は、コンクリート型枠保持用のセパレータに関し、特にセパレータの水による錆を防止する止水セパレータに関する。
【０００２】
型枠を所定間隔で保持するため型枠保持用セパレータが用いられる。型枠間にコンクリートを打設し固化させる。その際，雨水等が侵入するとセパレータの下面に水路が形成され、それが原因でセパレータや型枠接続部材に錆が発生する。セパレータはコンクリート固化後、補強筋として機能するものであり、錆が発生すると強度が低下する。
【０００３】
セパレータ下面に水路が形成されるのを防止するために、セパレータに水膨張ゴムからなる止水リングを取り付けるものが提案されている。
【先行技術文献】
【特許文献】
【０００４】
【特許文献１】特開２０１６−１８０２５９号公報
【発明の概要】
【発明が解決しようとする課題】
【０００５】
しかしながら、従来の止水セパレータは、止水リングの取り付け作業が必要であり、取り付け作業の時間の増加によりコストアップするという問題を有している。また、止水リングはコンクリート固化後コンクリート中に残るのでコンクリートの強度を低下させるという問題を有している。
【０００６】
本発明は、従来技術のもつ課題を解決する、止水リングを用いることなくセパレータの下面に水路が形成されるのを防止し、セパレータの水による錆を防止し、コンクリートートの強度の低下を招くことのない低コストの止水セパレータを提供することを目的とする。
【課題を解決するための手段】
【０００７】
本発明の止水セパレータは、前記課題を解決するために、丸棒からなるセパレータの両端に転造加工で形成される型枠保持用の端部転造雄ねじ部と、丸棒の中央部に転造加工により形成されるねじ山に切れ目を有する中央転造雄ねじ部と、を備えることを特徴とする。
【０００８】
また、本発明の止水セパレータは、端部転造雄ねじ部と中央転造雄ねじ部の外径を丸棒の外径より大きくすることを特徴とする。
【０００９】
また、本発明の止水セパレータは、丸棒を鋼材で形成することを特徴とする。
【発明の効果】
【００１０】
丸棒からなるセパレータの両端に転造加工で形成される型枠保持用の端部転造雄ねじ部と、丸棒の中央部に転造加工により形成されるねじ山に切れ目を有する中央転造雄ねじ部と、を備えることで、中央転造雄ねじ部をダイスを用いて塑性加工して形成する際、中央転造雄ねじ部のねじ山に切れ目を発生させ表面積を増加させ、コンクリートモルタルの粒子が表面積の大きい切れ目、ねじ谷に侵入して強固に付着するため中央転造雄ねじの下面に水路が発生するのを防止し、止水リングを用いることなく止水セパレータとして機能させることが可能になる。
端部転造雄ねじ部と中央転造雄ねじ部の外径を丸棒の外径より大きくすることで、ダイスを用いて丸棒を塑性加工して中央転造雄ねじを形成する際、ねじ山の外径は丸棒の外径より大きくなり、外径の大きい中央転造雄ねじ外周に強固にコンクリートモルタルが付着することでより水路の発生を防止することが可能となる。
丸棒を鋼材で形成することで、転造加工で塑性加工することにより鋼材の強度が増加し、止水セパレータをコンクリート固化後の強度の高い補強筋として機能させることが可能となる。
【図面の簡単な説明】
【００１１】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【発明を実施するための形態】
【００１２】
本発明の実施の形態を図により説明する。図１は、本発明の止水セパレータを示す図である。
【００１３】
止水セパレータ１は、鋼材で形成された丸棒２の両端に転造加工により型枠保持用の端部転造雄ねじ部３が形成される。丸棒２の中央部に転造加工により中央転造雄ねじ部４が形成される。端部転造雄ねじ部３と丸棒２との境界付近に一定深さの溝５が形成される。
【００１４】
転造加工による中央転造雄ねじ部４の形成は、丸棒２を回転させながら所望の形状に転造加工するための複数の転造ダイスを丸棒２に押し付けながら塑性加工する。切削加工の場合，切屑が発生しますが、転造加工の場合、転造ダイスを丸棒に押圧して塑性加工するから切屑は発生せず材料を無駄にしない。さらに、転造加工により鋼材からなる丸棒２は金属組織が鍛造加工時のように変化し強度を増すことができる。
【００１５】
図１に示される中央転造雄ねじ部４は、ねじ山４aの外径が丸棒２の外径より大きくされ、ねじ山４aには切れ目４ｂが形成されます。その結果、ねじ山４a、切れ目４ｂ、ねじ谷４ｃからなる中央転造雄ねじ部４の表面積は大幅に増加します。中央転造雄ねじ部４の表面積増加の効果につては後述します。
【００１６】
図２は、型枠６、６を所定間隔で保持するため止水セパレータ１は配置した一実施例を示す図です。止水セパレータ１の転造雄ねじ部４をコンクリートが打設される空間に位置させ、端部転造雄ねじ部３と丸棒２との境界に形成した溝５に平座金７を嵌め込む。平座金７の表面と型枠６が接するように配置する。端部転造雄ねじ部３をを型枠６に貫通させ、端部雄ねじ部３に固定部材８を螺着する、固定部材８の両側に型枠支持用の単管９を配置し、固定部材８を貫通した３型座金１０の端部で単管９，９を押さえる。３座金１０の上部の固定部材８の雄ねじ部にナット１１を螺着し、型枠６を保持する。その後、型枠６，６間の空間にコンクリートモルタルを打設する。脱型後、平座金７の表面がコンクリート表面と一致し、平座金７をそのまま残す。
【００１７】
図３は、型枠６、６を所定間隔で保持するため止水セパレータ１は配置した他の実施例を示す図です。この実施形態では切頭円錐形状のＰコン１２の大径の部分を型枠6の表面に接するように配置する。Ｐコン１２には大径部から突出する雄ねじ部材１２aが螺着されており、Ｐコン１１の小径部に形成した雌ねじ穴に端部転造雄ねじ部３を螺着する。型枠６を貫通する雄ねじ部材１２aに固定部材８を螺着する。固定部材８の両側に型枠支持用の単管９を配置し、固定部材８を貫通した３型座金１０の端部で単管９，９を押さえる。３座金１０の上部の固定部材８の雄ねじ部にナット１１を螺着し、型枠６を保持する。その後、型枠６，６間の空間にコンクリートモルタルを打設する。脱型後、Ｐコン１２は除去され、コンクリート表面に切頭円錐形状の穴が残るので、その部分にモルタルを充填し固化させ表面を平滑にする。
【００１８】
図４、図５は、中央転造雄ねじ部４の表面積増加の効果を説明する図です。型枠６，６間にコンクリートモルタルを打設すると、コンクリートモルタル粒子１３は、切れ目４ｂ、ねじ谷４ｃに侵入し付着します。表面積の大きな中央転造雄ねじ部４にコンクリートモルタルが強固に付着するため、雨水等が浸入しても中央転造雄ねじ部４の下面には水路が形成されません。その結果、止水リング等を取り付けることなく中央転造雄ねじ部４は、止水セパレータ1の機能を発揮し、錆の発生を防止することができる。
【００１９】
型枠６を取り外す時、中央転造雄ねじ部４の全周が固化したコンクリートが強固に付着しているので容易に脱型作業をすることができる。中央転造雄ねじ部４は転造加工により強度を増していますので、コンクリート固化後強度の大きい補強筋として機能する。
【００２０】
図６は、表面積の小さい丸棒２のコンクリートモルタル粒子７の付着状態を示す図です。表面積が小さいためコンクリートモルタル粒子１３の付着力が小さく、雨水等の浸入により丸棒２の下面に水路１４が形成され錆を発生させます。それだけでなく、コンクリート固化後、型枠６を外す時、コンクリートの付着力が十分でなく、共回りして脱型作業に苦労することになります。錆の発生により補強筋としての強度も十分ではありません。
【００２１】
本発明の止水セパレータ１は、転造加工によりねじ山に切れ目を有する中央転造雄ねじ部４を形成するだけで、止水リング等を用いることなく止水セパレータとして機能することができます。
【００２２】
以上のように、本発明の止水セパレータ１は、中央転造雄ねじ部をダイスを用いて塑性加工して形成する際、転造雄ねじ部のねじ山に切れ目を発生させ表面積を増加させ、コンクリートモルタルの粒子が表面積の大きい切れ目、ねじ谷に侵入して強固に付着するため転造雄ねじの下面に水路が発生するのを防止し、止水リングを用いることなく止水セパレータとして機能させることが可能になり、転造加工で塑性加工することにより鋼材の強度が増加し、止水セパレータをコンクリート固化後の強度の高い補強筋として機能させることが可能となる。
【符号の説明】
【００２３】
１：止水セパレータ、２：丸棒、３：端部転造雄ねじ部、４：中央転造雄ねじ部、４a：ねじ山、４ｂ：切れ目、４ｃ：ねじ谷、５：溝、６：型枠、７：平座金、８：固定部材、９：単管、１０：３型座金、１１：ナット、１２：Ｐコン、１２a：雄ねじ部材、１３：コンクリートモルタル粒子、１４:：:水路
【要約】
【課題】止水リングを用いることなくセパレータの下面に水路が形成されるのを防止し、セパレータの水による錆を防止し、コンクリートートの強度の低下を招くことのない低コストの止水セパレータを提供することを目的とする。
【解決手段】止水セパレータにおいて、丸棒からなるセパレータの両端に転造加工で形成される型枠保持用の端部転造雄ねじ部と、丸棒の中央部に転造加工により形成されるねじ山に切れ目を有する中央転造雄ねじ部と、を備えることを特徴とする。
【選択図】  図１【図１】
0006701464.tif 000002
【図２】
0006701464.tif 000003
【図３】
0006701464.tif 000004
【図４】
0006701464.tif 000005
【図５】
0006701464.tif 000006
【図６】
0006701464.tif 000007